(57)【要約】      （修正有）【課題】別途支持構造を必要とせず、生産コストを低減でき、薄型化が可能で、熱膨張を防止できる電子デバイスの放熱装置に用いる均温板構造を提供する。【解決手段】均温板構造は、第１板体、第２板体及び作動流体からなり、第１板体はフック受け部１３１、第２板体はフック部１３２を有し、フック部及びフック受け部には、それぞれ、金属又は非金属材質の微小なフック及びループ形状のループを設けて、これらの面を相対して第１板体、第２板体を重ね合わせることによりフック及びループ形状のループが互いに接触してフック（係合）する。これらのフック及びループは毛細管層として作動流体を保持する作用を有すると共に、フック係合構造により第１板体、第２板体の支持構造として熱膨張を吸収する。【選択図】図１
0003203218.tif 000002
【実用新案登録請求の範囲】
【請求項１】
第１板体及び第２板体を具え、
上記第１板体の第１側及び第２側のうち、第２板体に相対する第２側にフック受け部を設け、
上記第２板体の第３側及び第４側のうち、上記第１板体に相対する第３側にフック部を設け、
第１板体と第２板体とを相対して組み付けてこれらフック部とフック受け部とを接触してフックさせると共に、第１板体と第２板体との間にチャンバを形成し、
該チャンバ内に作動流体を充填した、均温板構造。
【請求項２】
前記フック受け部は、複数のループ体から構成され、該フック受け部は、毛細構造層を形成する請求項１に記載の均温板構造。
【請求項３】
前記フック受け部は、複数のフック状のフックの平行配列又は非平行配列から構成される請求項１に記載の均温板構造。
【請求項４】
前記フック部の上端は、鈍状又は鋭状を呈する請求項３に記載の均温板構造。
【請求項５】
前記第１板体及び第２板体は、銅材質又はアルミ材質又は銅箔グラファイト部材又は導熱が良好な導体の何れか１つである請求項１に記載の均温板構造。
【請求項６】
前記第２側に前記フック受け部及びフック部を形成し、且つ前記第３側は、前記フック部及びフック受け部をそれぞれ対応して形成し、該第１板体及び第２板体を接触してフックさせて貼合させた請求項１に記載の均温板構造。
【考案の詳細な説明】
【技術分野】
【０００１】
本考案は、均温板構造及びその製造方法に関し、特に、別途支持構造を必要とせず、生産コストを大幅に減少し、且つ熱膨張を防止することができる均温板構造及びその製造方法に関する。
【背景技術】
【０００２】
現行のモバイル装置、パソコン、サーバ、通信装置又はその他のシステム又は装置は、何れも演算能力の向上によりその内部の計算ユニットが発生する熱量もそれに伴って上昇し、従って、相対して更に放熱ユニットでその放熱を補助する必要があり、大多数の業者はヒートシンク、ヒートパイプ、均温板等の放熱部材をファンと組み合わせて放熱を補助することを選択しており、大きな面積で放熱を行う必要がある時、均温板で吸熱し、ヒートシンク及び放熱ファンで強制的に放熱し、各放熱部材間は、緊密に貼合して熱抵抗効果の低下を防止する。
均温板は、扁平状板体であり、内部に気液循環を行うチャンバを設置して、熱伝導を行い、扁平状の均温板が圧力を受けるか、熱を受けた後に膨張又は変形を発生することを防止する為、チャンバ内に複数本の支持柱体を設置して、均温板のチャンバを支持する。
【０００３】
均温板は、面と面の熱量伝達であり、前記説明において、均温板が熱を受けて膨張又は外力を受けて変形することを防止する為に複数の支持柱体を設置し、製造プロセスにおいて、製造工程時間及び製造コスト（支持柱体）及び厚さ、重量を別途増加させる必要が生じる。
【０００４】
上記のように、従来技術には、以下の欠点がある。
１．支持構造を必要とする。
２．生産コストを大幅に増加する。
３．有効に薄型化することができない。
４．熱膨張の問題を発生する。
【０００５】
上記従来の問題及び欠点を如何に解決するかが本願の考案者及び本業界に従事する関連メーカーが研究改善の方向を欲するところである。
【先行技術文献】
【特許文献】
【０００６】
【特許文献１】実用新案登録第３１９６２００号公報
【考案の概要】
【考案が解決しようとする課題】
【０００７】
そこで、上記問題を有効に解決する為に、本考案の主な目的は、別途支持構造を必要としない均温板構造を提供することにある。
【０００８】
本考案のもう１つの目的は、生産コストを大幅に減少させることができる均温板構造を提供することにある。
【０００９】
本考案のもう１つの目的は、乾燥焼き付きを防止することができる均温板構造を提供することにある。
【００１０】
本考案のもう１つの目的は、熱膨張を防止することができる均温板構造を提供することにある。
【００１１】
本考案のもう１つの目的は、薄型化された均温板構造を提供することにある。
【００１２】
本考案のもう１つの目的は、別途支持構造を必要としない均温板の製造方法を提供することにある。
【００１３】
本考案のもう１つの目的は、生産コストを大幅に減少させることができる均温板の製造方法を提供することにある。
【００１４】
本考案のもう１つの目的は、乾燥焼き付きを防止することができる均温板の製造方法を提供することにある。
【００１５】
本考案のもう１つの目的は、熱膨張を防止することができる均温板の製造方法を提供することにある。
【００１６】
本考案のもう１つの目的は、薄型化された均温板構造を提供することにある。
【課題を解決するための手段】
【００１７】
上記目的を達成する為、本考案が提供する均温板構造は、第１板体、第２板体及び作動流体を含み、該第１板体は、第１側及び第２側を有し、該第２側は、フック受け部を有し、該第２板体は、前記第１板体に組み付けられ、該第２板体は、第３側及び第４側を有し、該第３側及び該第２側の間にチャンバを形成し、該第３側上にフック部を有し、前記フック部及び該フック受け部は互いに接触フックしてつかみ合い、前記作動流体は、該チャンバ内に充填される。
【００１８】
上記目的を達成する為、本考案が提供する均温板構造の製造方法は、以下の工程を含む：
第１板体及び第２板体を提供し、
機械加工の方式によって該第１板体の一側にフック受け部を有する構造を形成させ、
機械加工の方式によって該第２板体の一側にフック部を有する構造を形成させ、
前記第１、第２板体を対応して被せ合わせ、前記フック部及びフック受け部を互いに接触してフックさせ、前記第１、第２板体周囲を密閉し、真空吸引を行い、作動流体を充填する。
【００１９】
前記目的を達成する為、本考案が提供する均温板の製造方法は、以下の工程を含む：
第１板体及び第２板体を提供し、
フック受け部の構造及びフック部の構造を予備製造し、それぞれ前記フック受け部の構造及びフック部の構造を前記第１、第２板体の一側に貼付し、
前記第１、第２板体を対応して被せ合わせ、前記フック部及びフック受け部を互いに接触フックさせ、前記第１、第２板体周囲を密閉し、真空吸引を行い、作動流体を充填する。
【考案の効果】
【００２０】
本考案の構造によって、該フック受け部の構造により該第１板体の第１側を熱源に貼付させ、該チャンバ内に気液循環を行う時、比較的強い保水力を有し、該均温板構造が乾燥焼き付きの状況の発生を防止し、また、前記フック部を利用し、従来の均温板内の支持構造の代わりとし、本考案の均温板構造の支持構造が支持作用を達成することができ、従来の支持構造のコストを節減できるだけでなく、更に薄型化の要求を達成することができ、このほか、前記フック部及びフック受け部の互いの接触フックにより、前記フック部１３２の末端が逆フック状の態様を呈し、該第１板体及び該第２板体に前記フック部及びフック受け部の相互の接触フックによって引っ張り嵌合の作用を発生し、該第１板体をフック部により該第２板体に引っ張り嵌合させ、該均温板が熱を受ける時に発生する熱膨張の問題を防止する。
【図面の簡単な説明】
【００２１】
【図１】本考案の均温板構造の第１実施例の立体分解図である。
【図２】本考案の均温板構造の第１実施例の立体組み合わせ図である。
【図３Ａ】本考案の均温板構造の第１実施例の立体拡大図である。
【図３Ｂ】本考案の均温板構造の第１実施例の立体拡大図である。
【図４Ａ】本考案の均温板構造の第１実施例の断面図である。
【図４Ｂ】本考案の均温板構造の第１実施例の断面拡大図である。
【図５】本考案の均温板構造の第２実施例の立体分解図である。
【図６】本考案の均温板構造の第３実施例の立体分解図である。
【図７】本考案の均温板構造の第１実施例の工程フロー図である。
【図８】本考案の均温板構造の第２実施例の工程フロー図である。
【考案を実施するための形態】
【００２２】
本考案の上記目的及びその構造と機能上の特性について、図面に基づく好適実施例を挙げ、以下に説明する。
【００２３】
図１、図２、図３Ａ、図３Ｂ、図４Ａは、本考案の均温板構造の第１実施例の立体分解図、立体組み合わせ図、立体拡大図、断面図であり、図に示すように、均温板構造１は、第１板体１１、第２板体１２、作動流体１５を含み、該第１板体１１は、第１側１１１及び第２側１１２を有し、該第２側１１２は、フック受け部１３１を有し、該フック受け部１３１は、複数のループタイ１３１１から構成される。
【００２４】
該第２板体１２は、第３側１２１及び第４側１２２を有し、該第３側１２１及び該第１板体１１の第２側１１２の対応接合箇所の間にチャンバ１４を形成し、該チャンバ１４内に前記作動流体１５を充填し、そのうち、第２板体１２の該第３側１２１には、フック部１３２を設け、複数のフック状のフック１３２１が平行配列又は非平行配列されて構成され、前記フック部１３２及びフック受け部１３１は、互いに接触してフック（係合）して連結され、これら該フック部１３２の上端は、鈍状又は鋭状を呈するが、実際の実施に際してはこれに限定せず、任意の形状を採ることができ、フック部１３２及びフック受け部１３１を相互にフックすることを達成できる形状は、何れも本考案の保護範囲内に属する。
前記フック受け部１３１及びフック部１３２は、金属材質又は非金属材質であって、前記第１板体１１及び第２板体１２は、同材質又はアルミ材質又は銅箔グラファイト部材又は導熱が良好な導体のうちの何れかである。
【００２５】
故に本考案の構造によれば、図４Ｂを併せて参照すると、前記フック受け部１３１は、直接第１板体１１の第２側１１２上に毛細構造層を形成し、該フック受け部１３１の構造により、第１板体１１の第１側を熱源２に貼付して該チャンバ１４内で気液循環を行う時、比較的強い（良好な）保水力を有し、該均温板構造１が乾燥焼き付きの状況を発生することを防止し、前記フック部１３２は、該第２板体１２の第３側１２１上に直接形成されて、前記フック部１３２を従来の均温板内の支持構造に代替するものとして機能し、本考案の均温板構造１の支持構造により支持作用を達成することができるばかりでなく、更に第２板体１２の第３側１２１で冷却凝縮した液体作動流体１５を第１板体１１の第２側１１２に戻すことができ、従来の均温板支持構造のコストを節減できるだけでなく、更に、前記フック部１３２及びフック受け部１３１の互いの接触によるフックによって、前記フック部１３２の末端が逆フック状の態様を呈し、該第１、第２板体１１，１２に前記フック部１３２及びフック受け部１３１の相互の接触によるフックによって引っ張り嵌合の作用を発生させ、該均温板が熱を受ける時に発生する熱膨張の問題を防止する。
【００２６】
図５を参照する。
本考案の均温板構造の第２実施例の立体分解図であり、図に示すように、本実施例の一部の構造は、前記実施例と同じであるためここでは再度説明しないが、本実施例と前記実施例の異なる箇所は、前記第２側１１２上に前記フック受け部１３１及びフック部１３２を形成し、前記第３側１２１上にも同時に前記フック受け部１３１及びフック部１３２を有することであり、言い換えれば、該第２側１１２中央箇所（前記熱源２の位置に対応）に前記フック受け部１３１を有し、該フック受け部１３１以外の箇所に前記フック部１３２を形成し、該第３側１２１も前記フック部１３２及びフック受け部１３１を有し、それぞれ前記第２側１１２のフック受け部１３１及びフック部１３２と対応して接触してフックし、これにより、同様に前記実施例と同じ効果を達成することができる。
【００２７】
図６を参照する。
本考案の均温板構造の第３実施例の立体分解図であり、図に示すように、本実施例の一部の構造は、前記実施例と同じあるためここでは再度説明しないが、本実施例と前記実施例の異なる箇所は、前記フック受け部１３１及びフック部１３２は、予め製造された構造であり、前記フック受け部１３１を該第１板体１１の第２側１１２に貼付し、前記フック部１３２を該第２板体１２の第３側１２１に貼付し、前記フック部１３２及びフック受け部１３１を互いに接触してフックさせる。
その貼付方式は、溶接、拡散接合、超音波、粘着、接着又はラミネート等の方式を選択して、フック受け部１３１及び前記フック部１３２の構造を前記第１、第２板体１１，１２上にしっかりと貼付させることにより、同様に前記実施例と同じ効果を達成することができる。
【００２８】
図７を参照する。
本考案の均温板の製造方法の第１実施例の工程フロー図であり、図に示すように、均温板の製造方法は、以下の工程を含む：
Ｓ１：第１板体及び第２板体を提供する；
工程Ｓ１において、先ず、第１板体１１及び第２板体１２を提供し、前記第１、第２板体１１，１２は、銅材質又はアルミ材質又は銅箔グラファイト部材又は導熱が良好な導体の何れか１つを選択することができる。
Ｓ２：機械加工によって該第１板体の一側にフック受け部を有する構造を形成させる；
工程Ｓ２において、続いて機械加工によって該第１板体１１の一側にフック受け部１３１を有する構造を直接形成させ、本実施例においては、前記機械加工の方式は、プレーニング加工又はエンボス加工又はショベル加工又はレーザ加工等の方式を使用するが、これらに制限するものではなく、該第１板体１１の一側にフック受け部１３１構造を形成させることができる任意の加工方式が何れも本考案の保護範囲内に属する。前記フック受け部１３１は、複数のループ体１３１１で構成される。
Ｓ３：機械加工の方式によって該第２板体の一側にフック部を有する構造を形成させる；
工程Ｓ３において、続いて機械加工によって該第２板体１２の一側にフック部１３２を有する構造を直接形成させ、本実施例において、そのうち、前記機械加工の方式は、プレーニング加工又はエンボス加工又はショベル加工又はレーザ加工等の方式を使用するが、これに制限するものではなく、該第２板体１２の一側にフック受け部１３２構造を形成させることができる任意の加工方式が何れも本考案の保護範囲内に属する。前記フック受け部１３２は、複数のフック状を呈するフック１３２１の平行配列又は非平行配列により構成され、且つ該フック部１３２の上端は、鈍状又は鋭状を呈する。
Ｓ４：前記第１、第２板体を対応して被せ合わせ、前記フック部及びフック受け部１３１を互いに接触してフックさせ、前記第１、第２板体の周囲を密閉し、真空吸引を行い、作動流体１５を充填する。
工程Ｓ４において、最後に前記第１、第２板体１１，１２を対応して被せ合わせ、前記フック部１３２及びフック受け部１３１を互いに接触してフックさせ、前記第１、第２板体１１，１２の周囲を密閉し、真空吸引を行い、その内部に作動流体１５を充填する。
【００２９】
故に本考案の均衡板の製造方法によって、前記フック受け部１３１の構造は、該第１板体１１上に直接成型され、前記フック部１３２の構造は、該第２板体１２上に直接成型され、該フック部１３２の構造を利用して従来の均温板内の支持構造を代替させ、本考案の均温板構造１の支持構造は、支持の作用を達成し、大幅にコストを節減し、薄型化の特性を有し、また、前記フック部１３２及びフック受け部１３１の相互に接触してフックさせることによって、該第１、第２板体１１，１２を前記フック部１３２構造及びフック受け部１３１構造の相互のフックによって引っ張り嵌合の作用を発生し、該均温板が熱を受けた時に発生する熱膨張の問題を防止する。
【００３０】
図８を参照する。
本考案の均温板の製造方法の第２実施例の工程フロー図であり、図に示すように、均温板の製造方法は、以下の工程を含む：
Ｓ１：第１板体及び第２板体を提供する；
工程Ｓ１において、先ず、第１板体１１及び第２板体１２を提供し、前記第１、第２板体１１，１２は、銅材質又はアルミ材質又は銅箔グラファイト部材又は導熱が良好な導体の何れか１つを選択することができる。
Ｓ２：フック受け部の構造及びフック部の構造を予め製造する；
工程Ｓ２において、フック受け部１３１の構造及びフック部１３２の構造を予め製造し、前記フック受け部１３１の構造は、複数のループ体１３１１から構成され、前記フック部１３２の構造は、複数のフック状のフック１３２１の平行配列又は非平行配列から構成され、且つ該フック部１３２の上端は、鈍状又は鋭状を呈する。
Ｓ３：それぞれ前記フック受け部の構造及びフック部の構造を前記第１、第２板体の一側に貼付する；
工程Ｓ３において、それぞれ前記フック受け部１３１の構造及びフック部１３２の構造を前記第１、第２板体１１，１２の一側に貼付し、その貼付方式は、溶接、拡散接合、粘着、超音波、接着又はラミネート等の方式を選択でき、前記フック受け部１３１構造及びフック部１３２構造を前記第１、第２板体１１，１２の一側にしっかりと貼付させる。
本実施例において、貼付方式は、上記に制限するものではなく、前記フック受け部１３１の構造及びフック部１３２の構造を第１、第２板体１１，１２上に貼付させることができるものは、何れも本考案の保護範囲に属する。
Ｓ４：第１、第２板体を対応して被せ合わせ、前記フック部及びフック受け部を互いに接触してフックさせ、前記第１、第２板体の周囲を密閉し、真空吸引を行い、作動流体を充填する。
工程Ｓ４において、最後に前記第１、第２板体１１，１２を対応して被せ合わせ、前記フック部１３２及びフック受け部１３１を互いに接触してフックさせ、前記第１、第２板体１１，１２の周囲を密閉し、真空吸引を行い、その内部に作動流体１５を充填する。
【００３１】
故に本考案の製造方法によって、同様に前記実施例と同じ効果を達成することができる。
【００３２】
上記のように、本考案は、従来技術に比較して以下の利点を有する。
１．別途の支持構造を必要としない；
２．薄型化の利点を有する；
３．生産コストを大幅に減少する；
４．熱膨張の発生を防止する。
【００３３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３４】
１  均温板構造
１１  第１板体
１１１  第１側
１１２  第２側
１２  第２板体
１２１  第３側
１２２  第４側
１３１  フック受け部
１３１１  ループ体
１３２  フック部
１３２１  フック
１４  チャンバ
１５  作動流体
２  熱源
【図１】
0003203218.tif 000003
【図２】
0003203218.tif 000004
【図３Ａ】
0003203218.tif 000005
【図３Ｂ】
0003203218.tif 000006
【図４Ａ】
0003203218.tif 000007
【図４Ｂ】
0003203218.tif 000008
【図５】
0003203218.tif 000009
【図６】
0003203218.tif 000010
【図７】
0003203218.tif 000011
【図８】
0003203218.tif 000012